(57)【要約】  Ｄ２Ｄ通信をサポートする移動通信システムにおいて使用されるユーザ装置において、基地局からＤ２Ｄギャップ構成情報を受信し、当該Ｄ２Ｄギャップ構成情報に基づいて、Ｄ２Ｄギャップを設定する設定手段と、前記Ｄ２Ｄギャップを用いて異周波Ｄ２Ｄ信号をモニタする通信手段と、を備え、前記Ｄ２Ｄギャップ構成情報に基づいて設定される前記Ｄ２Ｄギャップは、時間領域において、時間ホッピングパターンに基づいて割り当てられる所定時間長の時間区間であるように構成される。
2016163453.tif 000002
【特許請求の範囲】
【請求項１】
Ｄ２Ｄ通信をサポートする移動通信システムにおいて使用されるユーザ装置であって、
基地局からＤ２Ｄギャップ構成情報を受信し、当該Ｄ２Ｄギャップ構成情報に基づいて、Ｄ２Ｄギャップを設定する設定手段と、
前記Ｄ２Ｄギャップを用いて異周波Ｄ２Ｄ信号をモニタする通信手段と、を備え、
前記Ｄ２Ｄギャップ構成情報に基づいて設定される前記Ｄ２Ｄギャップは、時間領域において、時間ホッピングパターンに基づいて割り当てられる所定時間長の時間区間である
ことを特徴とするユーザ装置。
【請求項２】
前記Ｄ２Ｄギャップは、所定の時間間隔で割り当てられる各ギャップ期間内において、前記時間ホッピングパターンに基づき割り当てられる前記所定時間長の時間区間である
請求項１に記載のユーザ装置。
【請求項３】
前記Ｄ２Ｄギャップは、所定の時間長を有するギャップブロック内の所定のサブフレームであり、
前記ギャップブロックは、前記時間ホッピングパターンに基づいて決定された時間間隔で割り当てられる
請求項１に記載のユーザ装置。
【請求項４】
前記通信手段は、前記ギャップブロックにおけるＤ２Ｄギャップ以外のサブフレームにおいて、前記基地局のセルにおけるセルラー信号の送信又は受信が発生した場合に、当該ギャップブロック内のＤ２Ｄギャップを解除する
請求項３に記載のユーザ装置。
【請求項５】
前記通信手段は、前記Ｄ２Ｄギャップにおいて、前記基地局のセルにおける上りのセルラー信号の送信をＤ２Ｄ信号の送受信よりも優先して実行する
請求項１ないし４のうちいずれか１項に記載のユーザ装置。
【請求項６】
前記通信手段は、前記Ｄ２Ｄギャップにおいて、前記基地局のセルにおける上りのセルラー信号のうち、特定のセルラー信号の送信を行わない
請求項５に記載のユーザ装置。
【請求項７】
前記設定手段は、
前記基地局と異なる他基地局から受信したＤ２Ｄリソース構成情報を含むＤ２Ｄ通信要求を前記基地局に送信し、
前記Ｄ２Ｄ通信要求に対する応答として前記Ｄ２Ｄギャップ構成情報を前記基地局から受信する
請求項１ないし６のうちいずれか１項に記載のユーザ装置。
【請求項８】
Ｄ２Ｄ通信をサポートする移動通信システムにおいて使用されるユーザ装置が実行するＤ２Ｄ通信方法であって、
基地局からＤ２Ｄギャップ構成情報を受信し、当該Ｄ２Ｄギャップ構成情報に基づいて、Ｄ２Ｄギャップを設定するステップと、
前記Ｄ２Ｄギャップを用いて異周波Ｄ２Ｄ信号をモニタするステップと、を備え、
前記Ｄ２Ｄギャップ構成情報に基づいて設定される前記Ｄ２Ｄギャップは、時間領域において、時間ホッピングパターンに基づいて割り当てられる所定時間長の時間区間である
ことを特徴とするＤ２Ｄ通信方法。
【発明の詳細な説明】
【技術分野】
【０００１】
本発明は、Ｄ２Ｄ通信（ユーザ装置間通信）に関するものであり、特に、Ｄ２Ｄ通信において、異周波のＤ２Ｄ信号をモニタリングする技術に関連するものである。
【背景技術】
【０００２】
現状のＬＴＥ等の移動体通信システムでは、ユーザ装置ＵＥと基地局ｅＮＢが通信を行うことにより基地局ｅＮＢ等を介してユーザ装置ＵＥ間で通信を行うことが一般的であるが、近年、ユーザ装置ＵＥ間で直接に通信を行うＤ２Ｄ通信についての種々の技術が提案されている。【０００３】
特に、ＬＴＥにおけるＤ２Ｄ通信では、ユーザ装置ＵＥ間でプッシュ通話等のデータ通信を行う「Ｃｏｍｍｕｎｉｃａｔｉｏｎ（コミュニケーション）」と、ユーザ装置ＵＥが、所定のＩＤ等を含む発見信号（ｄｉｓｃｏｖｅｒｙ  ｓｉｇｎａｌ）を送信することで、受信側のユーザ装置ＵＥに送信側のユーザ装置ＵＥの検出を行わせる「Ｄｉｓｃｏｖｅｒｙ（発見）」が提案されている（非特許文献１参照）。なお、Ｃｏｍｍｕｎｉｃａｔｉｏｎは、例えば、Ｐｕｂｌｉｃ  ｓａｆｅｔｙ（警察・消防無線など）への適用が想定されている。【０００４】
ＬＴＥで規定されるＤ２Ｄ通信では、各ユーザ装置ＵＥは、ユーザ装置ＵＥから基地局ｅＮＢへの上り信号送信のリソースとして既に規定されている上りリソースの一部を利用することが提案されている。また、Ｄ２Ｄ通信で使用するリソースの割り当てにおいては、基地局ｅＮＢからのアシストがなされることも提案されている。
【先行技術文献】
【非特許文献】
【０００５】
【非特許文献１】３ＧＰＰ  ＴＲ  ３６．８４３  Ｖ１２．０．１  （２０１４−０３）
【発明の概要】
【発明が解決しようとする課題】
【０００６】
ところで、Ｂｌｕｅｔｏｏｔｈ（登録商標）、ＷｉＦｉ（登録商標）等を用いたＤ２Ｄ通信が従来から存在するが、これらＤ２Ｄ通信のＤｉｓｃｏｖｅｒｙでは事業者に依存しない端末検出が可能であるところ、ＬＴＥネットワークを用いるＤ２Ｄ  Ｄｉｓｃｏｖｅｒｙにおいても、異なる事業者のユーザ装置間でのＤ２Ｄ通信が可能なことが望ましい。【０００７】
前述したように、ＬＴＥのＤ２Ｄ通信では、セルラーの上りリソースの一部を使用する。従って、ユーザ装置ＵＥは、接続セルのキャリア（周波数帯、より具体的にはバンドの中の所定周波数キャリア）でＤ２Ｄ信号の送受信を行うが、一般に事業者間では使用するキャリアが異なることから、あるユーザ装置ＵＥが、他事業者のセルに接続するユーザ装置ＵＥからＤ２Ｄ信号を受信するには、他事業者のキャリアに切り替え、当該キャリアの周波数でＤ２Ｄ信号をモニタリングする必要がある。【０００８】
すなわち、例えば、図１に示すように、事業者ＡではキャリアＡがＤ２Ｄ通信に使用され、事業者ＢではキャリアＢがＤ２Ｄ通信に使用される場合において、事業者Ａのユーザ装置ＵＥは、事業者Ｂのユーザ装置ＵＥが送信するＤ２Ｄ信号を受信するために、キャリアＡをキャリアＢに切り替えて、Ｄ２Ｄ信号のモニタリングをする必要がある。同様に、事業者Ｂのユーザ装置ＵＥは、事業者Ａのユーザ装置ＵＥが送信するＤ２Ｄ信号を受信するために、キャリアＢをキャリアＡに切り替えて、Ｄ２Ｄ信号のモニタリングをする必要がある。なお、Ｄ２Ｄ信号を送信する場合も同様である。【０００９】
ユーザ装置ＵＥがセルに接続又は在圏している場合、当該セルとの通信を阻害しないために、上記キャリア切り替えを伴うモニタリングは短期間とする必要がある。【００１０】
しかし、ＬＴＥのＤ２Ｄ通信では、セルラーの通信リソースのうち、使用できるリソース（リソースプール）が周期的に到来するように構成されるが、一般に基地局ｅＮＢは他事業者のＤ２Ｄ用リソースの到来タイミングを把握していないので、キャリア切り替えが可能な時間とＤ２Ｄ用リソースの到来タイミングが合致するとは限らない。そのため上記のような短期間のキャリア切り替えによるＤ２Ｄ信号モニタリングでは、他事業者のＤ２Ｄ信号を検出できない、あるいは、検出に遅延が生じることが考えられる。一方、モニタリングの期間を長くとれば、Ｄ２Ｄ信号を検出しやすくなるが、接続セルにおけるセルラー通信や同周波のＤ２Ｄ信号送受信を阻害することになる。なお、他事業者Ｄ２Ｄ信号モニタリングのように、自分の接続又は在圏セルで使用する周波数とは異なる周波数でＤ２Ｄ信号モニタリングを行うことを異周波Ｄ２Ｄ信号モニタリングと称する。【００１１】
本発明は上記の点に鑑みてなされたものであり、移動通信システムにおいて、セルラー通信及び同周波のＤ２Ｄ信号送受信をできるだけ阻害せずに、ユーザ装置が異周波Ｄ２Ｄ信号モニタリングを効率的に行うことを可能とする技術を提供することを目的とする。
【課題を解決するための手段】
【００１２】
本発明の実施の形態によれば、Ｄ２Ｄ通信をサポートする移動通信システムにおいて使用されるユーザ装置であって、
基地局からＤ２Ｄギャップ構成情報を受信し、当該Ｄ２Ｄギャップ構成情報に基づいて、Ｄ２Ｄギャップを設定する設定手段と、
前記Ｄ２Ｄギャップを用いて異周波Ｄ２Ｄ信号をモニタする通信手段と、を備え、
前記Ｄ２Ｄギャップ構成情報に基づいて設定される前記Ｄ２Ｄギャップは、時間領域において、時間ホッピングパターンに基づいて割り当てられる所定時間長の時間区間である
ことを特徴とするユーザ装置が提供される。【００１３】
また、本発明の実施の形態によれば、Ｄ２Ｄ通信をサポートする移動通信システムにおいて使用されるユーザ装置が実行するＤ２Ｄ通信方法であって、
基地局からＤ２Ｄギャップ構成情報を受信し、当該Ｄ２Ｄギャップ構成情報に基づいて、Ｄ２Ｄギャップを設定するステップと、
前記Ｄ２Ｄギャップを用いて異周波Ｄ２Ｄ信号をモニタするステップと、を備え、
前記Ｄ２Ｄギャップ構成情報に基づいて設定される前記Ｄ２Ｄギャップは、時間領域において、時間ホッピングパターンに基づいて割り当てられる所定時間長の時間区間である
ことを特徴とするＤ２Ｄ通信方法が提供される。
【発明の効果】
【００１４】
本発明の実施の形態によれば、移動通信システムにおいて、セルラー通信及び同周波のＤ２Ｄ信号送受信をできるだけ阻害せずに、ユーザ装置が異周波Ｄ２Ｄ信号モニタリングを効率的に行うことを可能とする技術を提供することができる。
【図面の簡単な説明】
【００１５】
【図１】事業者間Ｄ２Ｄ通信における課題を説明するための図である。
【図２】本発明の実施の形態における通信システムの構成図である。
【図３】Ｄ２Ｄギャップを説明するための図である。
【図４】Ｄ２Ｄギャップに対して時間ホッピングを適用する場合のイメージを示す図である。
【図５】時間ホッピングパターンを適用するためのシグナリングの例を示す図である。
【図６】時間ホッピングパターンの例１を示す図である。
【図７】時間ホッピングパターンの例２を示す図である。
【図８】Ｄ２Ｄギャップブロックを説明するための図である。
【図９】変形例を説明するための図である。
【図１０】Ｄ２Ｄリソースの構成例を説明するための図である。
【図１１】変形例における時間ホッピングの例を示す図である。
【図１２】ユーザ装置ＵＥの構成図である。
【図１３】ユーザ装置ＵＥのＨＷ構成図である。
【図１４】基地局ｅＮＢの構成図である。
【図１５】基地局ｅＮＢのＨＷ構成図である。
【発明を実施するための形態】
【００１６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む広い意味で使用する。
【００１７】
また、本発明は、Ｄ２ＤのＤｉｓｃｏｖｅｒｙとＣｏｍｍｕｎｉｃａｔｉｏｎのどちらにも適用可能であることから、以下では、ＤｉｓｃｏｖｅｒｙとＣｏｍｍｕｎｉｃａｔｉｏｎにおいて使用される信号を総称してＤ２Ｄ信号と呼ぶ。また、本発明は、事業者間でのＤ２Ｄ通信に限らず、同一事業者においてセル間で異なるキャリアを使用する場合等にも適用可能である。
【００１８】
（システム構成）
図２は、本発明の実施の形態における通信システムの構成例を示す。図２に示すように、本実施の形態における通信システムには、事業者Ａの基地局ｅＮＢ（Ａ）とその配下のユーザ装置ＵＥ（Ａ）、及び、事業者Ｂの基地局ｅＮＢ（Ｂ）とその配下のユーザ装置ＵＥ（Ｂ）が存在する。事業者Ａ、Ｂ間でＤ２Ｄ通信に使用するキャリアは異なる。
【００１９】
各ユーザ装置ＵＥは、通常のセルラー通信を行う機能とＤ２Ｄ通信機能を有する。本実施の形態では、ユーザ装置ＵＥ（Ａ）及び基地局ｅＮＢ（Ａ）がＤ２Ｄ用の測定ギャップ（Ｍｅａｓｕｒｅｍｅｎｔ  ｇａｐ）を設定し、測定ギャップにおいてユーザ装置ＵＥ（Ｂ）から送信されるＤ２Ｄ信号の受信（モニタリング）を行うこととしている。本実施の形態では、当該測定ギャップをＤ２Ｄギャップ（Ｄ２Ｄ  Ｇａｐ）と呼ぶことにする。
【００２０】
また、後述する変形例においては、基地局ｅＮＢ（Ｂ）から報知される報知情報に含まれる事業者ＢのＤ２Ｄリソースの構成情報が利用される。
【００２１】
以下、事業者Ａ、Ｂを示さずに「ユーザ装置ＵＥ」、「基地局ｅＮＢ」と記述する場合、特に断りがなければ、図２における事業者Ａ側の役割のユーザ装置ＵＥ（Ａ）、基地局ｅＮＢ（Ａ）を想定している。
【００２２】
（Ｄ２Ｄギャップについて）
次に、本実施の形態においてユーザ装置ＵＥ及び基地局ｅＮＢに設定されるＤ２Ｄギャップの例を説明する。
【００２３】
図３に、本実施の形態におけるＤ２Ｄギャップの一例を示す。図３の例では、図示のとおりに、他事業者の上りリソースにＤ２Ｄ用リソースプールが割り当てられている。なお、Ｄ２Ｄリソースプールは、周波数方向においても、上りリソースの中の一部の長さをとるが、本例では説明を分かり易くするために、時間方向に着目して図示している。
【００２４】
また、図３に示すように、ユーザ装置ＵＥと基地局ｅＮＢにおいてＤ２Ｄギャップが設定されている。
【００２５】
ＬＴＥにおけるＤ２Ｄ信号の送受信は、基本的に周期的（例：Ｄｉｓｃｏｖｅｒｙ  ｐｅｒｉｏｄ）に到来するＤ２Ｄ用に割り当てられた時間−周波数領域（Ｄ２Ｄリソースプール）における一部のリソースを用いて行われる。
【００２６】
一般的に、ある事業者におけるユーザ装置ＵＥ及び基地局ｅＮＢは、他事業者におけるＤ２Ｄリソースプールの構成を知ることができない。そのため、本実施の形態では、Ｄ２Ｄギャップに時間ホッピングを適用して、ユーザ装置ＵＥ及び基地局ｅＮＢができるだけ異周波Ｄ２Ｄ信号を受信できる確率を増加させることとしている。時間ホッピングパターンの具体例については後述する。
【００２７】
図３の例では、事業者Ａのユーザ装置ＵＥ及び基地局ｅＮＢにおいて設定されたＤ２Ｄギャップについて、Ｂで示すギャップが他事業者のＤ２Ｄリソースプールと重なり、このギャップにおいて、他事業者のユーザ装置ＵＥから送信された異周波のＤ２Ｄ信号をユーザ装置ＵＥが受信できる可能性があり、また、ユーザ装置ＵＥから送信された異周波のＤ２Ｄ信号が他事業者のユーザ装置ＵＥにより受信できる可能性がある。
【００２８】
ユーザ装置ＵＥは、Ｄ２Ｄギャップにおいて、受信するキャリアを他事業者のキャリア（周波数）に切り替えて、他事業者のユーザ装置ＵＥから送信されるＤ２Ｄ信号をモニタリングする。送信の場合も同様に、送信するキャリアを他事業者のキャリア（周波数）に切り替えて送信を実行する。
【００２９】
なお、上記の「モニタリング」とは、例えば、他の事業者のＤ２Ｄ信号を受信し、復調、デコードを試みることである。「モニタリング」を「受信」と言い換えてもよい。
【００３０】
（時間ホッピングパターンについて）
前述したように、本実施の形態では、Ｄ２Ｄギャップに対して時間ホッピングを適用する。時間ホッピングを適用することにより、Ｄ２Ｄ信号の送受信の対象となる周波数のリソースプールが不明な場合でも、Ｄ２Ｄギャップの適用によりＤ２Ｄ送受信が可能になる確率が向上する。
【００３１】
図４に、Ｄ２Ｄギャップに対して時間ホッピングを適用する場合のイメージを示す。図４の例では、ＰＬＭＮ−Ａ（事業者Ａ）におけるユーザ装置ＵＥ（及び基地局ｅＮＢ）に対し、時間ホッピングが適用されたＤ２Ｄギャップが順次到来していることが示されている（図中の網掛けをしたサブフレーム）。
【００３２】
一方、図４には、ＰＬＭＮ−Ｂ、Ｃ（事業者Ｂ、Ｃ）において、それぞれキャリア１とキャリア２でＤ２Ｄリソースプールが設定され、当該Ｄ２Ｄリソースプールを用いてＤ２Ｄ信号の送信がなされていることが示されている。
【００３３】
事業者Ａのユーザ装置ＵＥは、事業者Ｂ、ＣにおけるＤ２Ｄリソースプールの構成情報を把握していないが、時間ホッピングを適用したＤ２Ｄギャップを用いることで、事業者Ｂ、ＣにおけるＤ２Ｄリソースプールに重なるＤ２Ｄギャップが発生していることがわかる。仮に、Ｄ２Ｄギャップを時間ホッピングせずに周期的に設定した場合において、当該周期が他事業者のＤ２Ｄリソースプールの周期とほとんと同じであるとすると、開始の時点でＤ２Ｄギャップが他事業者のＤ２Ｄリソースプールと重ならない場合、時間が経過してもＤ２Ｄギャップは、他事業者のＤ２Ｄリソースプールと重なることはなく、ユーザ装置ＵＥは、当該他事業者のＤ２Ｄ信号を受信できない。一方、時間ホッピングを適用することで、このような事態を回避し、異周波のＤ２Ｄ信号を受信できる可能性が高くなる。これは異周波のＤ２Ｄ信号を送信する場合も同様であり、時間ホッピングして到来するＤ２Ｄギャップで送信を行うことで、受信側で当該Ｄ２Ｄ信号を受信できる可能性が高くなる。
【００３４】
（Ｄ２Ｄギャップの設定について）
本実施の形態におけるＤ２Ｄギャップの設定シグナリングの例を図５に示す。図５に示すように、基地局ｅＮＢがユーザ装置ＵＥに対して、Ｄ２Ｄギャップ構成情報（Ｄ２Ｄギャップコンフィギュレーション）を送信する（ステップＳ１１）。なお、ユーザ装置ＵＥが基地局ｅＮＢに対してＤ２Ｄ通信要求（Ｄ２Ｄ信号の送信又は受信を希望していることを通知する信号）を送信し、当該Ｄ２Ｄ通信要求に応じて、Ｄ２Ｄギャップ構成情報がユーザ装置ＵＥに返されることとしてもよい。
【００３５】
ユーザ装置ＵＥは、基地局ｅＮＢから当該Ｄ２Ｄギャップ構成情報を受信し、当該Ｄ２Ｄギャップ構成情報を適用する（ステップＳ１２）。
【００３６】
ステップＳ１１におけるＤ２Ｄギャップ構成情報の通知は、例えば報知情報（ＳＩＢ等）を用いて行うことができる。Ｄ２Ｄギャップ構成情報の通知をＵＥ個別のＲＲＣ信号を用いて行うこととしてもよい。なお、これらは例に過ぎず、Ｄ２Ｄギャップ構成情報の通知を、ＭＡＣ信号、ＰＨＹ信号等で行うこととしてもよい。
【００３７】
なお、報知情報により、サービングセル内の各ＵＥに同じＤ２Ｄ構成情報が通知される場合でも、後述するように、ＵＥ−ＩＤ等のＵＥ個別情報に基づいて時間ホッピングパターンを決定することにより、ＵＥ毎に異なるＤ２Ｄギャップを設定することが可能である。
【００３８】
基地局ｅＮＢは、各ユーザ装置ＵＥに適用されるＤ２Ｄギャップ構成情報を保持しており、各ユーザ装置ＵＥがＤ２Ｄギャップにあるか否かを常時把握可能である。これにより、基地局ｅＮＢは、例えば、Ｄ２Ｄギャップの期間では、下り及び／又は上りのスケジューリングを行わないといった制御を行うことが可能である。
【００３９】
（Ｄ２Ｄギャップ構成の例）
次に、本実施の形態におけるＤ２Ｄギャップの構成例（時間ホッピングパターンの例）について説明する。
【００４０】
＜時間ホッピングパターン例１＞
図６に、時間ホッピングを適用したＤ２Ｄギャップの構成例として時間ホッピングパターン例１を示す。本例において、基地局ｅＮＢからユーザ装置ＵＥに通知されるＤ２Ｄギャップ構成情報には、例えば、Ｄ２Ｄギャップの期間（ｐｅｒｉｏｄ）を示すギャップ周期、ギャップ周期間の間隔を示すギャップ間隔、及び時間ホッピングパターンが含まれる。更に、最初のギャップ周期が開始される時間位置を示すオフセット値、及び／又は、ギャップ周期内での時間ホッピングを行う単位時間長であるギャップサイズが含まれていてもよい。１ギャップサイズの時間長を便宜上「スロット」と呼んでもよい。
【００４１】
上記のギャップ周期、ギャップ間隔、オフセット値、ギャップサイズ等の時間情報におけるレファレンス時間として、ユーザ装置ＵＥが在圏するサービングセルのＳＦＮ（Ｓｙｓｔｅｍ  Ｆｒａｍｅ  Ｎｕｍｂｅｒ）、ＤＦＮ（Ｄ２Ｄ  Ｆｒａｍｅ  ｎｕｍｂｅｒ）、ＳＦＮ内もしくはＤＦＮ内のサブフレーム番号等を用いることができる。ＳＦＮ、ＤＦＮ、サブフレーム番号等を、Ｄ２Ｄギャップの設定にあたってのレファレンス時間として使用できる点は、本実施の形態における他の例でも同様である。
【００４２】
また、上記の情報の全部又は一部が予め定められた値（ＵＥが通知を受けることなく把握している値）であるとしてもよい。上記の情報の全部が予め定められた値とした場合、基地局ｅＮＢからユーザ装置ＵＥにＤ２Ｄギャップ構成情報を通知しなくてもよい。もしくは、基地局ｅＮＢからユーザ装置ＵＥに対し、Ｄ２Ｄギャップ構成情報として、Ｄ２Ｄギャップの適用を指示する情報を通知することとしてもよい。
【００４３】
図６に示す例において、７スロット分のギャップ周期が、ギャップ間隔を開けて周期的に到来する。図６に示すように、ユーザ装置ＵＥには｛１、３、７、０、６、２、４、５、０｝という時間ホッピングパターンが通知されている。時間ホッピングパターンは、ギャップ周期毎にＤ２Ｄギャップとして設定するスロット番号を示している。
【００４４】
すなわち、図６に示すとおり、｛１、３、７、０、６、２、４、５、０｝という時間ホッピングパターンの通知を受けているユーザ装置ＵＥは、最初のギャップ周期において、当該時間ホッピングパターンの最初の番号（１）のスロット１をＤ２Ｄギャップとし、次のギャップ周期において、当該時間ホッピングパターンの２番目の番号（３）のスロット３をＤ２Ｄギャップとしている。以降も同様である。
【００４５】
＜時間ホッピングパターン例２＞
図７に、時間ホッピングを適用したＤ２Ｄギャップの構成例として時間ホッピングパターン例２を示す。本例において、基地局ｅＮＢからユーザ装置ＵＥに通知されるＤ２Ｄギャップ構成情報には、例えば、ギャップブロックの情報、ギャップブロック間の間隔を示すギャップ間隔、最初のギャップブロックの開始時間位置を示すギャップオフセットが含まれる。
【００４６】
ギャップブロックの情報としては、例えば、ギャップブロックの長さ（時間長）、ブロック内でＤ２Ｄギャップとするサブフレームの情報（どのサブフレームをギャップとするかを示す情報）等が含まれる。ギャップブロックは、Ｄ２Ｄギャップのサブフレームパターンの最小単位であり、詳細は後述する。
【００４７】
図７の例では、例えば、ギャップ間隔が時間ホッピングパターンにより決定され、ギャップブロックが時間ホッピングしながら到来する。
【００４８】
時間ホッピングパターンについては、例えば例１と同様に明示的なパターンが基地局ｅＮＢからユーザ装置ＵＥに通知され、例１と同様に、パターン内の数字を順次参照しながら、ギャップ間隔を変更していく。
【００４９】
また、例１のような明示的なパターンを通知せず、決定初期値（乱数のシード等）を基地局ｅＮＢからユーザ装置ＵＥに通知し、ユーザ装置ＵＥが、当該決定初期値から時間ホッピングパターンを決定することとしてもよい。決定する方法は特定の方法に限られないが、例えば、決定初期値に応じた｛１、３、７、０、６、２、４、５、０｝のようなパターンを出力する数式を用いてもよいし、複数種類のパターンを保持し、決定初期値に対応するパターンを用いてもよい。例１においても決定初期値を用いたこのような手法を採用してもよい。
【００５０】
上記の決定初期値としてギャップオフセットを使用してもよい。また、決定初期値として、ユーザ装置ＵＥのＩＤ（ＵＥ−ＩＤ）を使用してもよい。
【００５１】
＜ギャップブロックについて＞
本実施の形態における１つ１つのＤ２Ｄギャップは、連続したサブフレームであってもよいし、不連続なサブフレームであってもよい。一例として、図３に示す各Ｄ２Ｄギャップについて、当該Ｄ２Ｄギャップが図示のとおりに、連続的にギャップになっているとしてもよいし、Ｄ２Ｄギャップとして示された区間の中に、Ｄ２Ｄギャップとなるサブフレームと、Ｄ２Ｄギャップにならないサブフレームが含まれることとしてもよい。
【００５２】
また、図６に示した例において、時間ホッピングでＤ２Ｄギャップに割り当てられる１つの「スロット」が連続的にギャップになっているとしてもよいし、「スロット」の区間の中に、Ｄ２Ｄギャップとなるサブフレームと、Ｄ２Ｄギャップにならないサブフレームが含まれることとしてもよい。
【００５３】
上記のように、１つの「スロット」において、連続的にギャップとするか、Ｄ２Ｄギャップとなるサブフレームと、Ｄ２Ｄギャップにならないサブフレームを混在させるかについて、また、混在させる場合のパターン（スロット内で何番目と何番目のサブフレームをギャップとするか等）については、例えば、基地局ｅＮＢからユーザ装置ＵＥに通知されるＤ２Ｄギャップ構成情報により設定することができる。
【００５４】
本実施の形態では、上記のようなサブフレームパターンの最小単位をＤ２Ｄギャップブロック（以降、「ギャップブロック」）と称する。以下、ギャップブロックについて詳細に説明する。
【００５５】
ギャップブロックは、例えば図７に示したように、時間ホッピングにより順次変更されるギャップ間隔おきに到来する。ギャップブロックの構成例を図８（ａ）、（ｂ）に示す。図８（ａ）、（ｂ）には、ギャップブロックＡとギャップブロックＢが示されている。
【００５６】
図８（ａ）に示す例において、各ギャップブロックは７サブフレームから構成され、各ギャップブロック内は、Ｄ２Ｄ信号受信可能サブフレームと、それ以外のサブフレームとが含まれる。Ｄ２Ｄ信号受信可能サブフレームは、対象とする異周波のＤ２Ｄ信号を受信（モニタ）するためのサブフレームであり、当該サブフレームは、サービングセルのセルラー信号に対してギャップ（通信を行わない期間）となる。当該ギャップでは、少なくともサービングセルのＤＬ信号受信を行わない。つまり、当該期間において基地局ｅＮＢは、当該ユーザ装置ＵＥに対してＤＬ信号の送信を行わない。なお、セルラー信号とは、Ｄ２Ｄ信号ではない通常の基地局ｅＮＢ−ユーザ装置ＵＥ間で送受信される信号である。
【００５７】
ギャップブロック内のＤ２Ｄ信号受信可能サブフレーム（サービングセルに対するギャップ）の配置パターンについては、予め定められていてもよいし、基地局ｅＮＢからユーザ装置ＵＥにシグナリングで設定することとしてもよい。当該パターンは、ＵＥ間で共通（セル内共通）とし、報知情報で設定することとしてもよいし、ＵＥ個別として、ＵＥ個別のＲＲＣ信号で設定することとしてもよい。
【００５８】
図８（ａ）、（ｂ）のギャップブロックＡにおいて例示されているように、ユーザ装置ＵＥが、ギャップブロック内のギャップ以外のあるサブフレームにおいて、自身宛ての（Ｅ）ＰＤＣＣＨを検出した場合には当該ギャップブロック内で以降のギャップを破棄して、以降の当該ギャップブロック内の全サブフレームをセルラー通信に用いる。
【００５９】
図８（ａ）、（ｂ）に示すように、ギャップブロックＡにおいて、自身宛ての（Ｅ）ＰＤＣＣＨを検出した場合でも、次のギャップブロックＢでは、（自身宛ての（Ｅ）ＰＤＣＣＨを検出しない限り）配置パターンどおりにギャップが設定される。
【００６０】
例えば、ユーザ装置ＵＥは、上記の（Ｅ）ＰＤＣＣＨ受信により、下りリソースの割り当てを受けて下りデータの受信を行うことができるとともに、ギャップが解除されたギャップブロック内においてＡＣＫ／ＮＡＣＫ等のフィードバックを返すことも可能になる。
【００６１】
また、ユーザ装置ＵＥは、上記の（Ｅ）ＰＤＣＣＨ受信により、上りリソースの割り当て（ＵＬグラント）を受けて上りデータの送信を行うことができるとともに、ギャップが解除されたギャップブロック内においてＡＣＫ／ＮＡＣＫ等のフィードバック受信を行うことも可能になる。
【００６２】
上記のような動作を実施することで、Ｄ２Ｄギャップによるセルラー通信に対する影響を最小限に留めながら、異周波のＤ２Ｄ信号の検出を行うことが可能となる。
【００６３】
図８（ａ）、（ｂ）で示した例は、（Ｅ）ＰＤＣＣＨ等のＤＬ信号を受信したことをトリガにして、ギャップブロック内のギャップを解除する動作を行っているが、ユーザ装置ＵＥからのＵＬ信号送信をトリガとしてギャップを解除する動作を行うこととしてもよい。
【００６４】
つまり、ユーザ装置ＵＥが、ギャップブロック内のギャップ以外のあるサブフレームにおいて、ＵＬ信号送信を行う場合に、当該ギャップブロック内で以降のギャップを破棄して、以降の当該ギャップブロック内の全サブフレームをセルラー通信に用いることとしてよい。この場合でも、図８（ａ）、（ｂ）に示した場合と同様に、次のギャップブロックＢでは、（破棄のトリガがない限り）配置パターンどおりにギャップが設定される。
【００６５】
上記ギャップを破棄するトリガとなるＵＬ信号は、例えば、ＳＲ（Ｓｃｈｅｄｕｌｉｎｇ  Ｒｅｑｕｅｓｔ）、ＢＳＲ（Ｂｕｆｆｅｒ  Ｓｔａｔｕｓ  Ｒｅｐｏｒｔ）、ＲＡＣＨプリアンブル等である。これらの信号のＵＬ送信が発生することは、ユーザ装置ＵＥにおいて、セルラー通信で送信する必要のあるデータが発生していると考えられるからである。
【００６６】
（Ｄ２ＤギャップにおけるＵＥ動作について）
＜Ｄ２Ｄ信号の送受信＞
これまでは、ユーザ装置ＵＥが、Ｄ２Ｄギャップにおいて異周波Ｄ２Ｄ信号の受信を行うことを主に説明したが、ユーザ装置ＵＥは、Ｄ２Ｄギャップにおいて異周波Ｄ２Ｄ信号の送信を行うこととしてもよい。
【００６７】
ユーザ装置ＵＥがＤ２ＤギャップにおいてＤ２Ｄ信号送信を行うか否かについては、ユーザ装置ＵＥの動作として規定されてもよいし、基地局ｅＮＢからユーザ装置ＵＥに対してシグナリングで指示してもよい。当該指示のシグナリングとしては、例えば、報知情報（ＵＥ共通の場合）、ＵＥ個別ＲＲＣ信号（ＵＥ個別設定の場合）が用いられる。当該指示のシグナリングのための信号は、これらに限られるわけではなく、例えば、ＭＡＣ信号、ＰＨＹ信号で行うこととしてもよい。
【００６８】
＜Ｄ２Ｄギャップにおけるセルラー信号のＵＬ送信について＞
本実施の形態では、Ｄ２Ｄギャップにおいて異周波Ｄ２Ｄ信号のモニタリング（すなわち受信）を行うことから、Ｄ２ＤギャップにおいてはサービングセルのＤＬ信号受信を不可としている。Ｄ２ＤギャップにおけるサービングセルのＵＬ信号送信については、ＤＬ信号受信と同様に不可としてもよいし、ＵＬ信号送信を許容してもよい。
【００６９】
Ｄ２ＤギャップにおいてサービングセルのＵＬ信号送信を許容する場合、当該ギャップの期間において、Ｄ２Ｄ信号送信、Ｄ２Ｄ信号受信、セルラーＵＬ信号送信の３つが同時に生じ得る。ただし、これらのうち、同時には１つだけしか実施できない。そこで、本実施の形態では、これらのうち、セルラーＵＬ信号送信を優先することとしてもよい。例えば、セルラーＵＬ信号送信のトリガ（ＳＲＳ／ＣＱＩ／ＡＣＫ・ＮＡＣＫのタイミングの発生、ＵＬデータの発生等）が生じた場合、Ｄ２Ｄ信号送信とＤ２Ｄ信号受信のいずれも行わずに、セルラーＵＬ信号送信を行うこととすることができる。このような動作により、セルラーパフォーマンスの低下をできるだけ抑制することができる。
【００７０】
上記とは逆に、Ｄ２Ｄギャップでは、サービングセルのＤＬ信号受信とともにＵＬ送信も行わないこととしてもよい。これにより、セルラパフォーマンスの劣化と引き換えにＤ２Ｄの性能が向上する。
【００７１】
また、セルラーＵＬ信号の種類に応じて、Ｄ２ＤギャップでのＵＬ送信を行う／行わないを決定してもよい、例えば、同一キャリアにおける周期的なＳＲＳ送信は行わない、とすることができる。周期的なＳＲＳ送信を行わないとしてもセルラー通信のパフォーマンスに大きな影響を与えないからである。
【００７２】
例えば、ＣＱＩ、ＡＣＫ／ＮＡＣＫ等は、当該ユーザ装置ＵＥのセルラー通信のパフォーマンスに大きく影響することが考えられるため、Ｄ２Ｄギャップにおいて、Ｄ２Ｄ信号送受信よりも優先して送信を行うこととしてもよい。
【００７３】
上記のとおり、Ｄ２Ｄギャップにおいて、「セルラーＤＬ信号受信のみを行わず、セルラーＵＬ信号送信を許容する」、「セルラーＤＬ信号受信とセルラーＵＬ信号送信の両方を行わない」の２つのパターンがある。また、セルラーＵＬ信号送信を許容する場合には、「セルラーＵＬ信号送信をＤ２Ｄ信号送受信よりも優先させる」、「特定のＵＬ信号のみをＤ２Ｄ信号送受信よりも優先させる」等のパターンがある。
【００７４】
ユーザ装置ＵＥがどの動作をどのような優先度で行うかについては、ユーザ装置ＵＥの動作として規定されてもよいし、どの動作を行うかを基地局ｅＮＢからユーザ装置ＵＥに対してシグナリングで指示してもよい。当該指示のシグナリングとしては、例えば、報知情報（ＵＥ共通の場合）、ＵＥ個別ＲＲＣ信号（ＵＥ個別設定の場合）が用いられる。当該指示のシグナリングのための信号は、これらに限られるわけではなく、例えば、ＭＡＣ信号、ＰＨＹ信号で行うこととしてもよい。
【００７５】
（変形例）
次に、変形例を説明する。これまでに説明した例では、ユーザ装置ＵＥと基地局ｅＮＢは、他事業者のＤ２Ｄリソースプールの構成情報（ｃｏｎｆｉｇｕｒａｔｉｏｎ）を把握していないことを前提としている。
【００７６】
Ｄ２Ｄリソースプールの構成情報は、報知情報として基地局ｅＮＢから送信される。従って、例えば図２に示されているように、ユーザ装置ＵＥ（Ａ）が、基地局ｅＮＢ（Ｂ）から報知情報を受信することにより、事業者ＢにおけるＤ２Ｄのリソース構成情報を把握し、当該リソース構成情報に基づいてＤ２Ｄギャップを設定することが可能である。当該リソース構成情報に基づいてＤ２Ｄギャップを設定することで、効率的にＤ２Ｄのモニタリングが可能となる。ただし、事業者ＢにおけるＤ２Ｄのリソース構成情報に合わせて、事業者Ａ側のＤ２Ｄギャップを設定する場合、特定のサブフレームにおいて、ＵＥが一斉にＤ２Ｄ信号のモニタリングを行う状況が定期的に到来することが考えられ、セルラー通信のパフォーマンスを維持する観点から好ましくない可能性がある。
【００７７】
そこで、他事業者のＤ２Ｄのリソースの構成情報と時間ホッピングを組み合わせることによりＤ２Ｄギャップを設定する例を変形例として説明する。以下では、一例として、報知情報により取得するＤ２Ｄリソースの情報に基づきＤ２Ｄギャップブロックを設定し、ギャップブロック内のギャップとなるサブフレームが時間ホッピングにより割り当てられる例を説明する。
【００７８】
＜変形例における基本的な動作例＞
図９を参照して、変形例におけるユーザ装置ＵＥと基地局ｅＮＢの基本的な動作例を説明する。図９において、ユーザ装置ＵＥは、基地局ｅＮＢのセルに接続又は在圏している。
【００７９】
図９の前提として、例えばユーザ装置ＵＥは、他事業者の基地局ｅＮＢから他事業者の報知情報を受信することで、他事業者のＤ２Ｄ通信のリソース構成を把握しているものとする。
【００８０】
ステップＳ１０１において、ユーザ装置ＵＥは基地局ｅＮＢにＤ２Ｄ通信要求を送信する。当該Ｄ２Ｄ通信要求は、例えば、Ｄｉｓｃｏｖｅｒｙ信号の送信又は受信を要求する信号である。このＤ２Ｄ通信要求には、例えば、ユーザ装置ＵＥが報知情報で取得した他事業者のＤ２Ｄリソースの構成情報が含まれていてもよい。また、Ｄ２Ｄ通信要求の中にユーザ装置ＵＥが受信又は送信を希望する周波数を含めてもよい。
【００８１】
基地局ｅＮＢは、当該Ｄ２Ｄ通信要求に基づき、ユーザ装置ＵＥに対するギャップブロック及びブロック内の時間ホッピングパターン等を含むＤ２Ｄギャップ構成情報を決定（設定）するとともに、ユーザ装置ＵＥに対してＤ２Ｄギャップ構成情報を含むＤ２Ｄ通信応答を返す（ステップＳ１０２）。
【００８２】
Ｄ２Ｄ通信応答を受信したユーザ装置ＵＥは、ステップＳ１０２で受信したＤ２Ｄ通信応答に含まれるＤ２Ｄギャップ構成情報を適用して、Ｄ２Ｄギャップにおいて、異周波Ｄ２Ｄ信号のモニタリングを行う。なお、ここではモニタリングの例を説明しているが、ギャップブロックやＤ２Ｄギャップにおけるユーザ装置ＵＥの動作については、これまでに説明した動作を適用することができる。
【００８３】
ここで、例えば、他事業者のＤ２Ｄリソース構成情報が変更された場合、ユーザ装置ＵＥは他事業者の基地局ｅＮＢから受信する報知情報に基づきその変更を認識し、変更後のＤ２Ｄギャップ設定を要求するためのＤ２Ｄ通信変更要求を基地局ｅＮＢに送信し（ステップＳ１０４）、基地局ｅＮＢからＤ２Ｄ通信変更応答（変更後のＤ２Ｄギャップ構成情報）を受信する（ステップＳ１０５）。これにより、ユーザ装置ＵＥと基地局ｅＮＢにおいて、変更後のＤ２Ｄギャップが設定され、ユーザ装置ＵＥは、当該変更後のＤ２Ｄギャップを使用して他事業者Ｄ２Ｄ信号のモニタリングを行うことができる（ステップＳ１０６）。
【００８４】
その後、ユーザ装置ＵＥは、例えば他事業者のＤ２Ｄ信号のモニタリングを行う必要がなくなった場合に、Ｄ２Ｄ通信解放要求を基地局ｅＮＢに送信する（ステップＳ１０７）。Ｄ２Ｄ通信解放要求を受信した基地局ｅＮＢは、設定していたＤ２Ｄギャップの設定を解除してＤ２Ｄギャップを解放する。これにより、Ｄ２Ｄギャップであった期間をセルラー通信に使用できる。
【００８５】
図９を参照して説明したＤ２Ｄ通信要求、Ｄ２Ｄ通信変更要求、Ｄ２Ｄ通信解放要求の送信には、ＲＲＣやＭＡＣ等の上位レイヤシグナリング信号を使用してもよいし、ＰＵＣＣＨを使用してもよい。また、基地局ｅＮＢからユーザ装置ＵＥへの応答や設定には、ＲＲＣやＭＡＣ等の上位レイヤシグナリング信号を使用してもよいし、（Ｅ）ＰＤＣＣＨを使用してもよい。
【００８６】
＜変形例におけるＤ２Ｄギャップの例＞
図１０は、Ｄ２Ｄリソースの構成例を示す図である。これは、時間方向の構成に着目した図である。図１０に示す例において、Ｄ２Ｄリソースはサブフレームビットマップとして表される。また、ビットマップは、ｎｕｍ．ｒｅｐｒｔｉｔｉｏｎの回数だけ繰り返される。また、各周期（ｐｅｒｉｏｄ）における開始位置を示すｏｆｆｓｅｔが指定される。
【００８７】
変形例では、ユーザ装置ＵＥは、報知情報から他事業者のＤ２Ｄリソース構成情報として、図１０に示すビットマップ、周期（ｐｅｒｉｏｄ）、オフセット、繰り返し数等を取得し、これを基地局ｅＮＢに通知する。なお、他事業者のＤ２Ｄリソース構成情報をユーザ装置ＵＥから基地局ｅＮＢに通知することは一例であり、基地局ｅＮＢが例えば基地局間通信により他事業者のＤ２Ｄリソース構成情報を取得し、当該Ｄ２Ｄリソース構成情報からＤ２Ｄギャップ構成情報を作成してユーザ装置ＵＥに通知してもよい。
【００８８】
一例として、本変形例では、基地局ｅＮＢは、図１１に示すようにギャップブロック、及び時間ホッピングパターンを決定し、決定内容をＤ２Ｄギャップ構成情報としてユーザ装置ＵＥに通知する。
【００８９】
図１１において、Ａ、Ｂ、Ｃで示されるそれぞれのブロックは、ギャップブロックであり、図１０において、Ａ、Ｂ、Ｃで示したブロックに対応する。つまり、変形例では、Ｄ２Ｄ信号の送受信がなされる可能性のあるブロックがギャップブロックとして設定される。ユーザ装置ＵＥに通知される、当該ギャップブロックの構成情報としては、ギャップブロックの時間長、周期、オフセット等が含まれる。
【００９０】
各ギャップブロック内では、実際のビットマップを考慮せずに、時間ホッピングパターンにてＤ２Ｄギャップを設定することとしている。
【００９１】
つまり、実際のビットマップを考慮した場合、ユーザ装置ＵＥ間で分散が図れないことから、本変形例では、実際のビットマップを考慮せずに、時間ホッピングパターンにてＤ２Ｄギャップを設定することとしている。
【００９２】
図１１の例は模式的な例を示しており、対象のユーザ装置ＵＥに対して、ギャップブロックＡにおいて、１番目のサブフレームにＤ２Ｄギャップが設定され、ギャップブロックＢでは、３番目のサブフレームにＤ２Ｄギャップが設定され、ギャップブロックＣでは、２番目のサブフレームにＤ２Ｄギャップが設定されている。なお、時間ホッピングパターンの設定については、例えば図６、図７で説明した例と同様にして行うことができる。
【００９３】
（装置構成例）
以下、本発明の実施の形態の動作（少なくとも、これまでに説明した全ての動作）を実行するユーザ装置ＵＥと基地局ｅＮＢの構成例を説明する。
【００９４】
＜ユーザ装置ＵＥの構成例＞
図１２に、本実施の形態に係るユーザ装置ＵＥの機能構成図を示す。図１２に示すように、ユーザ装置ＵＥは、信号送信部１０１、信号受信部１０２、Ｄ２Ｄ通信機能部１０３、Ｄ２Ｄリソース情報取得部１０４、Ｄ２Ｄギャップ制御部１０５を含む。なお、図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分や機能部の名称はどのようなものでもよい。
【００９５】
信号送信部１０１は、ユーザ装置ＵＥから送信されるべき上位のレイヤの信号から、物理レイヤの各種信号を生成し、無線送信する機能を含む。信号送信部１０１は、Ｄ２Ｄ通信の送信機能とセルラー通信の送信機能を有する。
【００９６】
信号受信部１０２は、他のユーザ装置ＵＥ又は基地局ｅＮＢから各種の信号を無線受信し、受信した物理レイヤの信号からより上位のレイヤの信号を取得する機能を含む。信号受信部１０２は、Ｄ２Ｄ通信の受信機能とセルラー通信の受信機能を有する。
【００９７】
Ｄ２Ｄ通信機能部１０３は、Ｄ２Ｄアプリケーションの機能を含み、Ｄｉｓｃｏｖｅｒｙ信号送受信制御、Ｄ２Ｄのデータ送受信制御等を実行する。
【００９８】
Ｄ２Ｄリソース情報取得部１０４は、他事業者基地局等から受信した報知情報等からＤ２Ｄリソース情報を取得し、メモリ等に保持する。なお、本実施の形態では、Ｄ２Ｄリソース情報取得部１０４は変形例に関連する機能部である。
【００９９】
Ｄ２Ｄギャップ制御部１０５は、これまでに説明したように、基地局からＤ２Ｄギャップ構成情報を受信し、当該Ｄ２Ｄギャップ構成情報に基づいて、異周波Ｄ２Ｄ信号を送受信するためのＤ２Ｄギャップを設定する機能を含む。Ｄ２Ｄギャップを設定するとは、例えば、Ｄ２Ｄギャップ構成情報をメモリ等に格納するとともに、当該Ｄ２Ｄギャップ構成情報に従って、Ｄ２Ｄギャップの期間（サブフレーム）を算出し、当該ギャップ期間（どのサブフレームがギャップに該当するかの情報等）を信号送信部１０１及び／又は信号受信部１０２に通知することである。信号送信部１０１及び／又は信号受信部１０２は、例えば、当該Ｄ２Ｄギャップの期間では、セルラー信号の送受信を行わずに、異周波Ｄ２Ｄ信号に送受信を行うといった動作を行うことができる。
【０１００】
また、信号送信部１０１及び／又は信号受信部１０２により、ギャップブロックにおけるＤ２Ｄギャップ以外のサブフレームにおいて、セルラー信号の送信又は受信が実行される場合に、Ｄ２Ｄギャップ制御部１０５は、当該ギャップブロック内のＤ２Ｄギャップを解除する動作を行うこともできる。
【０１０１】
また、Ｄ２Ｄギャップ制御部１０５は、Ｄ２Ｄギャップにおいて、上りのセルラー信号の送信をＤ２Ｄ信号の送受信よりも優先して実行するように信号送信部１０１に対して指示することもできる。また、Ｄ２Ｄギャップ制御部１０５は、Ｄ２Ｄギャップにおいて、上りのセルラー信号のうち、特定のセルラー信号の送信を行わない制御を実施することもできる。
【０１０２】
また、Ｄ２Ｄギャップ制御部１０５は、変形例で説明した動作、すなわち、他基地局から受信したＤ２Ｄリソース構成情報を含むＤ２Ｄ通信要求をサービングセルの基地局に送信し、Ｄ２Ｄ通信要求に対する応答としてＤ２Ｄギャップ構成情報を当該基地局から受信し、当該Ｄ２Ｄギャップ構成情報に基づいて、他基地局におけるＤ２Ｄリソース構成情報を加味したＤ２Ｄギャップを設定することができる。
【０１０３】
図１２に示すユーザ装置ＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【０１０４】
図１３は、ユーザ装置ＵＥのハードウェア（ＨＷ）構成の例を示す図である。図１３は、図１２よりも実装例に近い構成を示している。図１３に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【０１０５】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図１２の信号送信部１０１及び信号受信部１０２における物理レイヤ等の機能を含む。
【０１０６】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図１２の信号送信部１０１及び信号受信部１０２におけるレイヤ２等の機能、Ｄ２Ｄ通信機能部１０３、Ｄ２Ｄリソース情報取得部１０４、Ｄ２Ｄギャップ制御部１０５を含む。なお、Ｄ２Ｄ通信機能部１０３、Ｄ２Ｄリソース情報取得部１０４、Ｄ２Ｄギャップ制御部１０５の機能の全部又は一部を装置制御モジュール１５３に含めることとしてもよい。
【０１０７】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【０１０８】
＜基地局ｅＮＢの構成例＞
図１４に、本実施の形態に係る基地局ｅＮＢの機能構成図を示す。図１４に示すように、基地局ｅＮＢは、信号送信部２０１、信号受信部２０２、ＵＥ情報格納部２０３、Ｄ２Ｄリソース情報格納部２０４、Ｄ２Ｄギャップ制御部２０５を含む。なお、図１４は、基地局ｅＮＢにおいて本発明の実施の形態に特に関連する機能部のみを示すものであり、少なくともＬＴＥに準拠した移動通信システムにおける基地局として動作するための図示しない機能も有するものである。また、図１４に示す機能構成は一例に過ぎない。本実施の形態に係る動作を実行できるのであれば、機能区分や機能部の名称はどのようなものでもよい。
【０１０９】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【０１１０】
ＵＥ情報格納部２０３には、ＵＥ能力として各ユーザ装置ＵＥから受信した情報が格納されており、例えば、Ｄ２Ｄギャップ制御部２０５は、この情報を参照することで、ユーザ装置ＵＥに対するＤ２Ｄギャップの設定可否を判断できる。
【０１１１】
Ｄ２Ｄリソース情報格納部２０４には、例えば、ユーザ装置ＵＥから受信した他基地局（他事業者）のＤ２Ｄリソース情報が格納されており、Ｄ２Ｄギャップ制御部２０５は、この情報を参照することで、他事業者のＤ２Ｄリソース情報を加味したＤ２Ｄギャップ構成情報を作成できる。なお、Ｄ２Ｄリソース情報格納部２０４は、変形例に関連する機能部である。
【０１１２】
Ｄ２Ｄギャップ制御部２０５は、これまでに説明したように、Ｄ２Ｄギャップ構成情報を作成し、ユーザ装置ＵＥに通知し、ユーザ装置ＵＥに時間ホッピングしたＤ２Ｄギャップを設定することを可能とする。
【０１１３】
図１４に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【０１１４】
図１５は、基地局ｅＮＢのハードウェア（ＨＷ）構成の例を示す図である。図１５は、図１４よりも実装例に近い構成を示している。図１５に示すように、基地局ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【０１１５】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図１４の信号送信部２０１及び信号受信部２０２における物理レイヤ等の機能を含む。
【０１１６】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図１４の信号送信部２０１及び信号受信部２０２におけるレイヤ２等の機能、ＵＥ情報格納部２０３、Ｄ２Ｄリソース情報格納部２０４、Ｄ２Ｄギャップ制御部２０５を含む。なお、ＵＥ情報格納部２０３、Ｄ２Ｄリソース情報格納部２０４、Ｄ２Ｄギャップ制御部２０５の機能の全部又は一部を装置制御モジュール２５３に含めることとしてもよい。
【０１１７】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【０１１８】
（実施の形態のまとめ）
以上、説明したように、本実施の形態により、Ｄ２Ｄ通信をサポートする移動通信システムにおいて使用されるユーザ装置であって、基地局からＤ２Ｄギャップ構成情報を受信し、当該Ｄ２Ｄギャップ構成情報に基づいて、Ｄ２Ｄギャップを設定する設定手段と、前記Ｄ２Ｄギャップを用いて異周波Ｄ２Ｄ信号をモニタする通信手段と、を備え、前記Ｄ２Ｄギャップ構成情報に基づいて設定される前記Ｄ２Ｄギャップは、時間領域において、時間ホッピングパターンに基づいて割り当てられる所定時間長の時間区間である、ユーザ装置が提供される。
【０１１９】
上記の構成により、移動通信システムにおいて、セルラー通信及び同周波のＤ２Ｄ信号送受信をできるだけ阻害せずに、ユーザ装置が異周波Ｄ２Ｄ信号モニタリングを効率的に行うことを可能とする技術を提供することができる。
【０１２０】
前記Ｄ２Ｄギャップは、例えば、所定の時間間隔で割り当てられる各ギャップ期間内において、前記時間ホッピングパターンに基づき割り当てられる前記所定時間長の時間区間である。この構成により、所定の時間間隔で割り当てられるギャップ期間を単位として、時間ホッピングパターンに基づき時間ホッピングを行うことができ、時間ホッピングの処理を簡易に実現することができる。
【０１２１】
前記Ｄ２Ｄギャップは、例えば、所定の時間長を有するギャップブロック内の所定のサブフレームであり、前記ギャップブロックは、前記時間ホッピングパターンに基づいて決定された時間間隔で割り当てられることとしてもよい。この構成により、ギャップブロックを単位として時間ホッピングを行うことができるので、時間ホッピングを行う場合でも、ギャップブロック内での制御を各ギャップブロックで共通とすることができる。
【０１２２】
前記通信手段は、前記ギャップブロックにおけるＤ２Ｄギャップ以外のサブフレームにおいて、前記基地局のセルにおけるセルラー信号の送信又は受信が発生した場合に、当該ギャップブロック内のＤ２Ｄギャップを解除することとしてもよい。この構成により、異周波Ｄ２Ｄ信号のモニタリングを実施しながら、セルラー通信を効率的に行うことができる。
【０１２３】
前記通信手段は、前記Ｄ２Ｄギャップにおいて、前記基地局のセルにおける上りのセルラー信号の送信をＤ２Ｄ信号の送受信よりも優先して実行することとしてもよい。この構成により、セルラー通信のパフォーマンスを低下させずに異周波Ｄ２Ｄ信号のモニタリングを実施できる。
【０１２４】
前記通信手段は、前記Ｄ２Ｄギャップにおいて、前記基地局のセルにおける上りのセルラー信号のうち、特定のセルラー信号の送信を行わないこととしてもよい。例えば特定のセルラー信号として、セルラー通信のパフォーマンスにほとんど影響のない信号を選択することで、セルラー通信のパフォーマンスを低下させずに異周波Ｄ２Ｄ信号のモニタリングを効率的に実施することができる。
【０１２５】
前記設定手段は、前記基地局と異なる他基地局から受信したＤ２Ｄリソース構成情報を含むＤ２Ｄ通信要求を前記基地局に送信し、前記Ｄ２Ｄ通信要求に対する応答として前記Ｄ２Ｄギャップ構成情報を前記基地局から受信することとしてもよい。この構成により、他事業者等のＤ２Ｄリソース構成情報を加味したＤ２Ｄギャップ構成情報を取得できるので、異周波Ｄ２Ｄ信号のモニタリングを効率的に実施することができる。
【０１２６】
なお、上記の各装置の構成における「手段」を、「部」、「回路」、「デバイス」等に置き換えてもよい。
【０１２７】
本実施の形態で説明したユーザ装置ＵＥは、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１２８】
本実施の形態で説明した基地局ｅＮＢは、ＣＰＵとメモリを備える基地局ｅＮＢにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１２９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局及びユーザ装置は機能的なブロック図を用いて説明されたが、そのような装置はハードウェアで、ソフトウェアで又はそれらの組み合わせで実現されてもよい。本発明の実施の形態に従って、ユーザ装置及び基地局が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３０】
本発明は上記実施形態に限定されず、本発明の精神から逸脱することなく、様々な変形例、修正例、代替例、置換例等が本発明に包含される。
【０１３１】
本特許出願は２０１５年４月９日に出願した日本国特許出願第２０１５−０８０４１６号に基づきその優先権を主張するものであり、日本国特許出願第２０１５−０８０４１６号の全内容を本願に援用する。
【符号の説明】
【０１３２】
ｅＮＢ  基地局
ＵＥ  ユーザ装置
１０１  信号送信部
１０２  信号受信部
１０３  Ｄ２Ｄ通信機能部
１０４  Ｄ２Ｄリソース情報取得部
１０５  Ｄ２Ｄギャップ制御部
１５１  ＲＥモジュール
１５２  ＢＢ処理モジュール
１５３  装置制御モジュール
１５４  ＵＳＩＭスロット
２０１  信号送信部
２０２  信号受信部
２０３  ＵＥ情報格納部
２０４  Ｄ２Ｄリソース情報格納部
２０５  Ｄ２Ｄギャップ制御部
２５１  ＲＥモジュール
２５２  ＢＢ処理モジュール
２５３  装置制御モジュール
２５４  通信ＩＦ
【図１】
2016163453.tif 000003
【図２】
2016163453.tif 000004
【図３】
2016163453.tif 000005
【図４】
2016163453.tif 000006
【図５】
2016163453.tif 000007
【図６】
2016163453.tif 000008
【図７】
2016163453.tif 000009
【図８】
2016163453.tif 000010
【図９】
2016163453.tif 000011
【図１０】
2016163453.tif 000012
【図１１】
2016163453.tif 000013
【図１２】
2016163453.tif 000014
【図１３】
2016163453.tif 000015
【図１４】
2016163453.tif 000016
【図１５】
2016163453.tif 000017
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
装置対装置通信をサポートする移動通信システムにおいて使用されるユーザ装置であって、
装置対装置通信ギャップ構成情報の要求を基地局に送信する信号送信手段と、
前記基地局から装置対装置通信ギャップ構成情報を受信し、当該装置対装置通信ギャップ構成情報に基づいて、装置対装置通信ギャップを設定する設定手段と、
上り信号の種類に応じて、前記装置対装置通信ギャップにおいて当該上り信号を送信するか否かを決定する装置対装置通信ギャップ制御手段と、
を備えることを特徴とするユーザ装置。
【請求項２】
前記装置対装置通信ギャップ構成情報に基づいて設定される前記装置対装置通信ギャップは、時間領域において、時間ホッピングパターンに基づいて割り当てられる所定時間長の時間区間である
ことを特徴とする請求項１に記載のユーザ装置。
【請求項３】
装置対装置通信をサポートする移動通信システムにおいて使用されるユーザ装置であって、
基地局から装置対装置通信ギャップ構成情報を受信し、当該装置対装置通信ギャップ構成情報に基づいて、装置対装置通信ギャップを設定する設定手段と、
前記装置対装置通信ギャップを用いて異周波装置対装置通信信号をモニタする通信手段と、を備え、
前記装置対装置通信ギャップ構成情報に基づいて設定される前記装置対装置通信ギャップは、時間領域において、時間ホッピングパターンに基づいて割り当てられる所定時間長の時間区間である
ことを特徴とするユーザ装置。
【請求項４】
前記通信手段は、前記装置対装置通信ギャップにおいて、前記基地局のセルにおける上りのセルラー信号の送信を装置対装置通信信号の送受信よりも優先して実行する
請求項３に記載のユーザ装置。
【請求項５】
前記通信手段は、前記装置対装置通信ギャップにおいて、前記基地局のセルにおける上りのセルラー信号のうち、特定のセルラー信号の送信を行わない
請求項４に記載のユーザ装置。
【請求項６】
装置対装置通信をサポートする移動通信システムにおいて使用されるユーザ装置が実行する装置対装置通信方法であって、
基地局から装置対装置通信ギャップ構成情報を受信し、当該装置対装置通信ギャップ構成情報に基づいて、装置対装置通信ギャップを設定するステップと、
前記装置対装置通信ギャップを用いて異周波装置対装置通信信号をモニタするステップと、を備え、
前記装置対装置通信ギャップ構成情報に基づいて設定される前記装置対装置通信ギャップは、時間領域において、時間ホッピングパターンに基づいて割り当てられる所定時間長の時間区間である
ことを特徴とする装置対装置通信方法。
【国際調査報告】
2016163453.tif 000018
2016163453.tif 000019
2016163453.tif 000020